(57)【要約】【課題】  使用済みメダルをメダル洗浄機へ戻すための戻しコンベヤが停止しても、戻しコンベヤで接続されている島の各遊技機へメダルの供給を続行できるメダル遊技設備を提供する。【解決手段】  メダル洗浄機３から送りコンベヤ８で送り込まれた洗浄済みメダルｍａを島単位のメダル供給回収機４内のホッパー４ｂに一時貯留した後に遊技機へ供給し、遊技機からメダル供給回収機４に回収した使用済みメダルｍｂを回収リフター４ｄで持ち上げて戻しコンベヤ７でメダル洗浄機３へ送り戻し、戻された使用済みメダルｍｂをメダル洗浄機３で洗浄して再使用できるようにしたメダル遊技設備において、回収リフター４ｄのメダル吐出位置に戻しコンベヤ７から溢れた使用済みメダルｍｂを取り込む広幅のシュート９を設け、同シュート９とメダル供給回収機４内のホッパー４ｂとを繋ぐメダル路９ａを設ける。【選択図】図２
2008264063.tif 000002
【特許請求の範囲】
【請求項１】
メダル洗浄機から送りコンベヤで送り込まれた洗浄済みメダルを島単位のメダル供給回収機内のホッパーに一時貯留した後に島の各遊技機へ供給し、各遊技機からメダル供給回収機に回収した使用済みメダルをリフターで持ち上げて戻しコンベヤでメダル洗浄機へ送り戻し、戻された使用済みメダルをメダル洗浄機で洗浄して再使用できるようにしたメダル遊技設備において、前記リフターのメダル吐出位置に戻しコンベヤから溢れた使用済みメダルを取り込む広幅のシュートを設け、同シュートとメダル供給回収機内のホッパーとを繋ぐメダル路を設けたことを特徴とする、メダル遊技設備。
【請求項２】
メダル洗浄機を島の一つに配置し、同島の各遊技機に洗浄済みメダルを供給、及び同島の各遊技機から使用済みメダルを戻しコンベヤを介さずに直接回収して洗浄できる構造とした、請求項１記載のメダル遊技設備。
【発明の詳細な説明】
【技術分野】
【０００１】
本発明は、スロットマシン等のメダル遊技設備に関する。
【背景技術】
【０００２】
従来のメダル遊技設備は、メダル洗浄機から送りコンベヤで送り込まれた洗浄済みメダルを島単位のメダル供給回収機内のホッパーに一時貯留した後に各遊技機へ供給し、各遊技機から回収コンベヤでメダル供給回収機に回収した使用済みメダルをリフターで持ち上げて戻しコンベヤでメダル洗浄機へ送り戻し、戻された使用済みメダルをメダル洗浄機で洗浄し、これを循環させることで、遊技者が常に清潔なメダルを使用して遊技できるようにしている。
【０００３】
ところで、前記技術では故障やメダルの詰まり等のトラブルで戻しコンベヤが停止すると、メダル洗浄機に戻された使用済みメダルが無くなって洗浄済みメダルをメダル供給回収機に送り込むことができなくなり、その後、リフターで持ち上げたメダルが戻しコンベヤ上に積み上がることでリフターと回収コンベヤもメダルが詰まって連鎖的に停止してしまう。したがって、戻しコンベヤで接続されている島の多数の遊技機が遊技に支障をきたす状態となって遊技者に多大な迷惑を及ぼすとともに、回復作業も手間を要し、又、回復するまでは店員がメダルを手作業で供給する必要があった。
【特許文献１】特開２００５−３４９０７６号公報
【発明の開示】
【発明が解決しようとする課題】
【０００４】
本発明が解決しようとする課題は、従来のこれらの問題点を解消し、使用済みメダルをメダル洗浄機へ戻すための戻しコンベヤが停止しても、戻しコンベヤで接続されている島の各遊技機へメダルの供給を続行できるメダル遊技設備を提供することにある。
【課題を解決するための手段】
【０００５】
かかる課題を解決した本発明の構成は、
１）  メダル洗浄機から送りコンベヤで送り込まれた洗浄済みメダルを島単位のメダル供給回収機内のホッパーに一時貯留した後に島の各遊技機へ供給し、各遊技機からメダル供給回収機に回収した使用済みメダルをリフターで持ち上げて戻しコンベヤでメダル洗浄機へ送り戻し、戻された使用済みメダルをメダル洗浄機で洗浄して再使用できるようにしたメダル遊技設備において、前記リフターのメダル吐出位置に戻しコンベヤから溢れた使用済みメダルを取り込む広幅のシュートを設け、同シュートとメダル供給回収機内のホッパーとを繋ぐメダル路を設けたことを特徴とする、メダル遊技設備
２）  メダル洗浄機を島の一つに配置し、同島の各遊技機に洗浄済みメダルを供給、及び同島の各遊技機から使用済みメダルを戻しコンベヤを介さずに直接回収して洗浄できる構造とした、前記１）記載のメダル遊技設備
にある。
【発明の効果】
【０００６】
本発明によれば、何らかのトラブルで戻しコンベヤが停止すると、リフターから吐出する使用済みメダルが戻しコンベヤのコンベヤ面に積み上がるが、コンベヤ面から溢れた使用済みメダルがシュートに取り込まれ、メダル路でメダル供給回収機内のホッパーへ送られる。よって、メダル洗浄機から洗浄済みメダルが搬送されなくなっても、回収した使用済みメダルがそのままメダル供給回収機内のホッパーへ戻ることになり、各遊技機へメダルの供給を続行できるようになる。
【発明を実施するための最良の形態】
【０００７】
本発明では、遊技機だけでなくメダル貸し機も並設され、メダル供給回収機から洗浄済みメダルが供給される。メダル洗浄機は洗浄機能に特化したものや、メダル供給回収機に洗浄機能を備えて島に配置されるものがある。以下、本発明の実施例を図面に基づいて具体的に説明する。
【実施例１】
【０００８】
図１〜４に示す実施例は、スロットマシンからなる複数の遊技機が配置されたメダル遊技設備の例である。図１は実施例のメダル遊技設備の平面図、図２は実施例のメダル洗浄機とメダル供給回収機の説明図、図３は実施例のシュートの断面図、図４は実施例のメダルの溢れを示す説明図である。
【０００９】
本実施例のメダル遊技設備は、図１に示すように列設された複数の遊技機１及びメダル貸し機２と、洗浄済みメダルｍａの供給と使用済みメダルｍｂの回収及び洗浄研磨を行うメダル洗浄機３と、洗浄済みメダルｍａの供給と使用済みメダルｍｂの回収を行うメダル供給回収機４と、遊技機１から排出された使用済みメダルｍｂをメダル洗浄機３及びメダル供給回収機４へ搬送する回収コンベヤ５と、洗浄済みメダルｍａを遊技機１及びメダル貸し機２へ搬送する供給コンベヤ６と、メダル供給回収機４で回収した使用済みメダルｍｂをメダル洗浄機３へ搬送する戻しコンベヤ７と、洗浄済みメダルｍａをメダル供給回収機４へ搬送する送りコンベヤ８とで構成されている。図中、８ａは洗浄済みメダルｍａの取込装置である。
【００１０】
メダル洗浄機３は、図２に示すように使用済みメダルｍｂを戻しコンベヤ７から取り込む取込路３ａと、取込路３ａで取り込まれた使用済みメダルｍｂを一時貯留する回収ホッパー３ｂと、回収ホッパー３ｂから払出器３ｃで払い出された使用済みメダルｍｂを洗浄研磨する洗浄研磨装置３ｄと、洗浄研磨装置３ｄで洗浄研磨された洗浄済みメダルｍａを送りコンベヤ８へ搬送する供給リフター３ｅと、回収コンベヤ５で回収された使用済みメダルｍｂを回収ホッパー３ｂへ搬送する回収リフター３ｆと、取込装置８ａで取り込まれた洗浄済みメダルｍａを一時貯留する供給ホッパー３ｇと、供給ホッパー３ｇの洗浄済みメダルｍａを供給コンベヤ６へ払い出す払出器３ｈとで構成されている。
【００１１】
メダル供給回収機４は、図２に示すように洗浄済みメダルｍａを送りコンベヤ８から取り込む取込路４ａと、取込路４ａで取り込まれた洗浄済みメダルｍａを一時貯留する供給ホッパー４ｂと、供給ホッパー４ｂから払出器４ｃで払い出された洗浄済みメダルｍａを供給コンベヤ６へ搬送する供給リフター４ｄと、回収コンベヤ５で回収した使用済みメダルｍｂを戻しコンベヤ７に持ち上げてコンベヤ面へ吐出する回収リフター４ｅとで構成されている。
【００１２】
回収リフター４ｅの吐出位置には、図３に示すように戻しコンベヤ７から溢れた使用済みメダルｍｂを取り込む広幅のシュート９を設け、シュート９とメダル供給回収機４内の供給ホッパー４ｂとをメダル路９ａで接続している。図中、７ａはコンベヤフレーム、７ｂはコンベヤベルトである。シュート９は、コンベヤフレーム７ａとシュート９との間に使用済みメダルｍｂが通過できる間隔が確保される幅に形成している。
【００１３】
本実施例では、メダル洗浄機３から送りコンベヤ８で送り込まれた洗浄済みメダルｍａをメダル洗浄機３内の供給ホッパー３ｇ及びメダル供給回収機４内の供給ホッパー４ｂに一時貯留した後に遊技機１及びメダル貸し機２へ供給し、遊技機１から排出された使用済みメダルｍｂを回収コンベヤ５でメダル洗浄機３及びメダル供給回収機４に回収し、メダル供給回収機４に回収した使用済みメダルｍｂは回収リフター４ｅで持ち上げて戻しコンベヤ７でメダル洗浄機３内の回収ホッパー３ｂへ送り戻し、メダル洗浄機３の島の遊技機１から回収した使用済みメダルｍｂは回収リフター３ｆで回収ホッパー３ｂへ直接搬送し、回収ホッパー３ｂに戻された使用済みメダルｍｂを洗浄研磨装置３ｄで洗浄し、これを循環させることで、遊技者が常に清潔な洗浄済みメダルｍａを使用して遊技する。
【００１４】
故障やメダル詰まり等のトラブルで戻しコンベヤ７が停止すると、図４に示すように回収リフター４ｅから吐出する使用済みメダルｍｂが戻しコンベヤ７のコンベヤベルト７ｂ上に積み上がる。積み上がった使用済みメダルｍｂがコンベヤフレーム７ａの側壁を超えると、戻しコンベヤ７の両側へ落下してシュート９に取り込まれ、メダル路９ａを通じてメダル供給回収機４内の供給ホッパー４ｂへ送り込まれる。メダル洗浄機３では、戻しコンベヤ７の動作に係わらず、使用済みメダルｍｂが直接回収ホッパー３ｂへ搬送される。
【００１５】
これにより、メダル洗浄機３に戻される使用済みメダルｍｂが不足し、洗浄済みメダルｍａはメダル洗浄機３の島のみへ供給されてメダル供給回収機４には送り込むことができなくなる。しかし、前記のようにメダル供給回収機４に回収した使用済みメダルｍｂはそのまま自身の供給ホッパー４ｂへ戻る構造となっているから、戻しコンベヤ７に接続されている全ての島の遊技機１及びメダル貸し機２へのメダル供給を続行できる。このように、戻しコンベヤ７が回復するまで遊技機１及びメダル貸し機２を停止させることがなく、戻された使用済みメダルｍｂが汚れていたとしても、遊技者にとってはトラブルを意識することなく遊技を継続でき、迷惑をかけることがない。
【産業上の利用可能性】
【００１６】
本発明は、メダルを遊技媒体に用いる遊技設備に利用できる。
【図面の簡単な説明】
【００１７】
【図１】実施例のメダル遊技設備の平面図である。
【図２】実施例のメダル洗浄機とメダル供給回収機の説明図である。
【図３】実施例のシュートの断面図である。
【図４】実施例のメダルの溢れを示す説明図である。
【符号の説明】
【００１８】
１  遊技機
２  メダル貸し機
３  メダル洗浄機
３ａ  取込路
３ｂ  回収ホッパー
３ｃ  払出器
３ｄ  洗浄研磨装置
３ｅ  供給リフター
３ｆ  回収リフター
３ｇ  供給ホッパー
３ｈ  払出器
４  メダル供給回収機
４ａ  取込路
４ｂ  供給ホッパー
４ｃ  払出器
４ｄ  供給リフター
４ｅ  回収リフター
５  回収コンベヤ
６  供給コンベヤ
７  戻しコンベヤ
７ａ  コンベヤフレーム
７ｂ  コンベヤベルト
８  送りコンベヤ
８ａ  取込装置
９  シュート
９ａ  メダル路
ｍａ  洗浄済みメダル
ｍｂ  使用済みメダル
【図１】
2008264063.tif 000003
【図２】
2008264063.tif 000004
【図３】
2008264063.tif 000005
【図４】
2008264063.tif 000006